(57)【要約】【課題】印刷媒体の一の印刷面に設けられた一つのコード化パターンと基準位置の指標に基づいて、同一の印刷面内の情報を的確に検索できるようにする。【解決手段】印刷媒体１１０の一の印刷面１１１内に添付（印刷）されたコード化パターン１２０に基づいて当該一の印刷面１１１自体を識別すると共に、この一の印刷面１１１内におけるコード化パターン１２０を以て兼用するも可とする所定の位置の基準として印刷された基準位置指標（１２０，１３０）との相対において表される位置を把握し、当該識別内容と把握した位置との情報を情報提供装置２００に伝送することによって、当該印刷面１１１内の複数のコンテンツへの選択的アクセスを可能とする。【選択図】図１
2007226537.tif 000002
【特許請求の範囲】
【請求項１】
印刷媒体の所定の印刷面内に印刷された表示情報の内容を該印刷面内における印刷位置との対応関係によって識別し該識別した情報をユーザーに提供可能に構成された情報提供装置と、ユーザーが手に持って当該印刷面内における任意の印刷位置を指示するに適合する外形を有し前記情報提供装置に当該指示に対応した情報の提供を命令するためのコマンダー装置と、を含んで構成される情報提供システムであって、
前記情報提供装置は、前記コマンダー装置から供給される当該印刷面自体を特定するデータおよび当該印刷面内におけるユーザーが指示した印刷位置を特定するためのデータを受信する通信部と、該通信部を通して受信されたデータによって特定される当該印刷面での印刷位置に対応する表示情報の内容を識別するための情報識別部と、前記情報識別部によって識別された情報をユーザーに提供するための情報提供部とを備え、
前記コマンダー装置は、当該印刷面にその印刷面自体を特定するための情報を含む形で印刷されているコード化パターンを撮影するための撮像部と、前記撮像部によって撮影されたコード化パターンを前記情報提供装置での取り扱いに適合したデータに変換する撮影情報変換部と、ユーザーによって指示された印刷位置を当該印刷面内における位置の基準として印刷された基準位置指標との相対において表される位置データとして検出する印刷位置検出部と、前記撮影情報変換部で得た当該コード化パターンに対応するデータおよび前記印刷位置検出部によって得た位置データを前記情報提供装置側に伝送する通信部とを備えて構成されていることを特徴とする情報提供システム。
【請求項２】
印刷媒体の所定の印刷面内に印刷された表示情報の内容を該印刷面内における印刷位置と対応付けて識別し所定のコマンダー装置からの命令に応答して該識別した情報をユーザーに提供可能に構成された情報提供装置であって、
前記コマンダー装置から供給される当該印刷面自体を特定するデータおよび当該印刷面内におけるユーザーが指示した印刷位置を特定するためのデータを受信する通信部と、該通信部を通して受信されたデータによって特定される当該印刷面での印刷位置に対応する表示情報の内容を識別するための情報識別部と、前記情報識別部によって識別された情報をユーザーに提供するための情報提供部とを備えていることを特徴とする情報提供装置。
【請求項３】
印刷媒体の所定の印刷面内に印刷された表示情報の内容を該印刷面内における印刷位置と対応付けて識別し該識別した情報をユーザーに提供可能に構成された情報提供装置に対し、ユーザーが手に持って当該印刷面内における任意の印刷位置を指示することにより当該指示に対応した情報の提供を命令するためのコマンダー装置であって、
当該印刷面にその印刷面自体を特定するための情報を含む形で印刷されているコード化パターンを撮影するための撮像部と、前記撮像部によって撮影されたコード化パターンを前記情報提供装置での取り扱いに適合したデータに変換する撮影情報変換部と、ユーザーによって指示された印刷位置を当該印刷面内における位置の基準として印刷された基準位置指標との相対において表される位置データとして検出する印刷位置検出部と、前記撮影情報変換部で得た当該コード化パターンに対応するデータおよび前記印刷位置検出部によって得た位置データを前記情報提供装置側に伝送する通信部とを備えて構成されていることを特徴とするコマンダー装置。
【請求項４】
前記印刷位置検出部は、前記基準位置指標を兼ねる前記コード化パターンの位置との相対において表される位置データとしてユーザーによって指示された印刷位置を検出するように構成されていることを特徴とする請求項３に記載のコマンダー装置。
【請求項５】
前記印刷位置検出部は、前記コード化パターンとは別途に設定された基準位置指標の位置との相対において表される位置データとしてユーザーによって指示された印刷位置を検出するように構成されていることを特徴とする請求項３に記載のコマンダー装置。
【請求項６】
前記印刷位置検出部は、モーションセンサーを備え、ユーザーが前記基準位置指標の位置である第一の位置および所望の印刷位置である第二の位置を夫々指示したときに該第一の位置と第二の位置との間の移動量を前記モーションセンサーによって検出し、この検出量に基づいてユーザーによって指示された印刷位置を検出するように構成されていることを特徴とする請求項３に記載のコマンダー装置。
【請求項７】
前記印刷位置検出部は、モーションセンサーを備え、ユーザーが前記基準位置指標の位置である第一の位置および所望の印刷位置である第二の位置を夫々指示したときに該第二の位置の第一の位置に対する相対位置を前記モーションセンサーによって検出される該第一の位置から第二の位置までの移動軌跡の形に依存しない座標位置として検出し、この座標位置をユーザーによって指示された印刷位置として検出するように構成されていることを特徴とする請求項３に記載のコマンダー装置。
【請求項８】
前記印刷位置検出部は、超音波発信器とこの超音波発信器を含む本コマンダー装置の外殻部とは離隔した所定位置に複数既知の間隔で設置された超音波受信器との組合わせにより構成される位置センサーを備え、ユーザーが前記基準位置指標の位置および所望の印刷位置を夫々指示したときに該夫々指示した各位置を前記位置センサーによって検出し、この検出量に基づいてユーザーによって指示された印刷位置を検出するように構成されていることを特徴とする請求項３に記載のコマンダー装置。
【請求項９】
印刷媒体の所定の印刷面内に印刷された表示情報の内容を該印刷面内における印刷位置との対応関係によって識別し該識別した情報をユーザーに提供可能に構成された情報提供装置と、ユーザーが手に持って当該印刷面内における任意の印刷位置を指示するに適合する外形を有し前記情報提供装置に当該指示に対応した情報の提供を命令するためのコマンダー装置と、を用いる情報提供方法であって、
前記情報提供装置側では、前記コマンダー装置から供給される当該印刷面自体を特定するデータおよび当該印刷面内におけるユーザーが指示した印刷位置を特定するためのデータを受信し、該受信されたデータによって特定される当該印刷面での印刷位置に対応する表示情報の内容を識別し、該識別された情報をユーザーに提供するようにし、
前記コマンダー装置側では、当該印刷面にその印刷面自体を特定するための情報を含む形で印刷されているコード化パターンを撮影し、該撮影されたコード化パターンを前記情報提供装置側での取り扱いに適合したデータに変換し、ユーザーによって指示された印刷位置を当該印刷面内における位置の基準として印刷された基準位置指標との相対において表される位置データとして検出し、当該コード化パターンに対応するデータおよび当該位置データを前記情報提供装置側に伝送することを特徴とする情報提供方法。
【発明の詳細な説明】
【技術分野】
【０００１】
本発明は、例えば、新聞その他の印刷媒体の所定の印刷面内に印刷された表示情報の内容を該印刷面内における印刷位置との対応関係によって識別し該識別した情報をユーザーに、例えば、映像や音声によって提供可能に構成された情報提供装置と、ユーザーが手に持って当該印刷面内における任意の印刷位置を指示するに適合する、例えば、ペンのような外形を有し前記情報提供装置に当該指示に対応した情報の提供を命令するためのコマンダー装置と、を含んで構成される情報提供システム、情報提供装置、コマンダー装置、および、これらによる情報提供方法に関する。
【背景技術】
【０００２】
発明者は、ペン型移動体がこのペン型移動体の移動軌跡などをトレースする如く感知してコンピュータに入力する入力装置との通信同期タイミングに同期したタイミングで複数のルートで超音波信号を送信し、入力装置側でこの複数のルートによる超音波信号の受信タイミングの時間差に基づいて三角測量法によりペン型移動体の位置を算出するようにした情報入力装置を既に提案している（特許文献１参照）。
【０００３】
また、電子ファイルの編集作業において、電子ペンによる入力のみで、複雑な編集処理が可能な手段を提供するべく、記入位置を特定可能に作成されて図形や文字などを含んだ紙面情報が印刷された用紙に対し、手書きで記入する情報をストロークデータとして取得する電子ペンと、この電子ペンが取得したストロークデータに基づいて紙面情報を編集するペンサーバとを含んでシステムを構成し、このペンサーバでは、編集処理を特定するコマンドに対応させて、編集処理の内容を示すコマンド実行情報を格納したコマンドデータベースを保有し、電子ペンを用いて指定された用紙上の紙面情報を抽出して、コマンドデータベースを検索して、用紙に記入されたコマンドに対応するコマンド実行情報に基づいて編集処理を実行する技術も提案されている（特許文献２参照）。
【０００４】
また一方、添付（印刷）されたバーコードから関連するホームページ等へリンクが可能な印刷媒体が実用化されている。例えばＱＲコード（登録商標：一種の２次元バーコード）が印刷された印刷媒体のＱＲコードを携帯電話のカメラ等を通して認識すると、携帯電話の通信網を通してＱＲコードに記述されたホームページ等にアクセスする事が可能である。既に、不動産の物件の案内雑誌等々において広く実施されている。
【０００５】
上述の文献所載の技術や既存の技術の他、レストランなどにおいて、記入位置を特定するためのドットパターンが形成されたメニューに、このドットパターンの読み取り機能を備えた電子ペンを用いて記入することによって、ユーザーが記入した筆記イメージをメニューの注文選択肢と対応付けて、注文内容を取得する方法が提案されている（特許文献３参照）。
【特許文献１】特開２００５−１９６３５０号公報（段落０００４、段落００２３〜段落００２６、図１）
【特許文献２】特開２００５−３４６４１５号公報（段落００１０〜段落００１５、図１）
【特許文献３】特表２００３−５００７７７号公報（段落００５０〜段落００５４、段落０１１９〜段落０１２２、図２）
【発明の開示】
【発明が解決しようとする課題】
【０００６】
上述した特許文献１における提案は、専らペン型移動体の動きを的確に検出して、その動きによって表現される（文字等の）情報を入力装置において認識しようとするものであって、ペン型移動体を用いて、例えばレストランの特定のメニューやアルバムの特定の画像のような既存の情報を検索するといった用途に適合するような構成については未だ特段の開示を行なっていない。
【０００７】
また、特許文献２のシステムでは、例えば、新聞のラジオ・テレビ欄の特定の位置（番組）を電子ペンで指したことに応じて、そのラジオ・テレビ欄の番組に関する詳細な紹介記事を検索してユーザーに提供するといったような用途に適合するような構成については何等開示されていない。
また一方、特許文献３に開示された技術の場合は、メニューの全ての注文選択肢に夫々対応付けて例えばＱＲコード（登録商標）のようなコード化パターンを附しておかなくてはならない。
【０００８】
この問題を敷衍すれば、印刷媒体（メニューや新聞の紙面）のページ内に多数のコンテンツの情報がある場合、それらのコンテンツに各対応して個別のリンクが必要となり、予め個別のコンテンツにＱＲコード（登録商標）のようなコード化パターンが添付（印刷）された紙面に対して、ユーザーはそれら各々のコード化パターンからホームページを選択し認識しなければならない。
【０００９】
本発明は上述のような事情に鑑みてなされたものであり、その目的は、印刷媒体の一の印刷面内に添付（印刷）されたコード化パターンに基づいて当該一の印刷面自体を識別すると共に、この一の印刷面内における上記コード化パターンを以て兼用するも可とする所定の位置の基準として印刷された基準位置指標との相対において表される位置を把握し、当該識別内容と把握した位置との情報を情報提供装置に伝送することによって、当該印刷面内の複数のコンテンツへの選択的アクセスを可能とする情報提供システム、情報提供装置、コマンダー装置、および、情報提供方法を具現することを目的としている。
【課題を解決するための手段】
【００１０】
上記課題を解決するべく、本願では次に列記するような技術を提案する。
（１）印刷媒体の所定の印刷面内に印刷された表示情報の内容を該印刷面内における印刷位置との対応関係によって識別し該識別した情報をユーザーに提供可能に構成された情報提供装置と、ユーザーが手に持って当該印刷面内における任意の印刷位置を指示するに適合する外形を有し前記情報提供装置に当該指示に対応した情報の提供を命令するためのコマンダー装置と、を含んで構成される情報提供システムであって、
前記情報提供装置は、前記コマンダー装置から供給される当該印刷面自体を特定するデータおよび当該印刷面内におけるユーザーが指示した印刷位置を特定するためのデータを受信する通信部と、該通信部を通して受信されたデータによって特定される当該印刷面での印刷位置に対応する表示情報の内容を識別するための情報識別部と、前記情報識別部によって識別された情報をユーザーに提供するための情報提供部とを備え、
前記コマンダー装置は、当該印刷面にその印刷面自体を特定するための情報を含む形で印刷されているコード化パターンを撮影するための撮像部と、前記撮像部によって撮影されたコード化パターンを前記情報提供装置での取り扱いに適合したデータに変換する撮影情報変換部と、ユーザーによって指示された印刷位置を当該印刷面内における位置の基準として印刷された基準位置指標との相対において表される位置データとして検出する印刷位置検出部と、前記撮影情報変換部で得た当該コード化パターンに対応するデータおよび前記印刷位置検出部によって得た位置データを前記情報提供装置側に伝送する通信部とを備えて構成されていることを特徴とする情報提供システム。
【００１１】
上記（１）の情報提供システムは、例えば、新聞やレストランのメニューのような印刷媒体の所定の印刷面内に印刷された表示情報（例えば、ラジオ・テレビの番組表や食事のメニュー）の内容を該印刷面内における印刷位置との対応関係によって識別し該識別した情報をユーザーに、例えば、音声や映像によって提供可能に構成された情報提供装置と、ユーザーが手に持って当該印刷面内における任意の印刷位置を指示するに適合する、例えば、ペン型のような外形を有し情報提供装置に向けてユーザーによる当該指示に対応した情報の提供を命令するためのコマンダー装置と、を含んで構成される。
【００１２】
この情報提供システムにおける情報提供装置は、コマンダー装置から供給される当該印刷面自体を特定するデータおよび当該印刷面内におけるユーザーが指示した印刷位置を特定するためのデータを通信部で受信する。そして、この通信部を通して受信されたデータによって特定される当該印刷面での印刷位置に対応する表示情報の内容を情報識別部で識別し、このようにして情報識別部によって識別された情報を情報提供部を通して、例えば、音声や映像によってユーザーに提供する。
【００１３】
一方、この情報提供システムにおけるコマンダー装置は、撮像部によって当該印刷面にその印刷面自体を特定するための情報を含む形で印刷されているコード化パターンを撮影し、該撮影したコード化パターンを撮影情報変換部で情報提供装置での取り扱いに適合したデータに変換し、一方、ユーザーによって指示された印刷位置を当該印刷面内における位置の基準として印刷された基準位置指標との相対において表される位置データとして印刷位置検出部で検出し、撮影情報変換部で得た当該コード化パターンに対応するデータおよび印刷位置検出部によって得た位置データの各データを通信部を通して情報提供装置側に伝送する。
【００１４】
（２）印刷媒体の所定の印刷面内に印刷された表示情報の内容を該印刷面内における印刷位置と対応付けて識別し所定のコマンダー装置からの命令に応答して該識別した情報をユーザーに提供可能に構成された情報提供装置であって、
前記コマンダー装置から供給される当該印刷面自体を特定するデータおよび当該印刷面内におけるユーザーが指示した印刷位置を特定するためのデータを受信する通信部と、該通信部を通して受信されたデータによって特定される当該印刷面での印刷位置に対応する表示情報の内容を識別するための情報識別部と、前記情報識別部によって識別された情報をユーザーに提供するための情報提供部とを備えていることを特徴とする情報提供装置。
【００１５】
上記（２）の情報提供装置では、例えば、新聞やレストランのメニューのような印刷媒体の所定の印刷面内に印刷された表示情報（例えば、ラジオ・テレビの番組表や食事のメニュー）の内容を該印刷面内における印刷位置と対応付けて識別し所定のコマンダー装置からの命令に応答して該識別した情報をユーザーに提供可能に構成され、通信部で、コマンダー装置から供給される当該印刷面自体を特定するデータおよび当該印刷面内におけるユーザーが指示した印刷位置を特定するためのデータを受信し、該受信されたデータによって特定される当該印刷面での印刷位置に対応する表示情報の内容を情報識別部で識別し、該識別された情報を情報提供部を通して、例えば、音声や映像によってユーザーに提供する。
【００１６】
（３）印刷媒体の所定の印刷面内に印刷された表示情報の内容を該印刷面内における印刷位置と対応付けて識別し該識別した情報をユーザーに提供可能に構成された情報提供装置に対し、ユーザーが手に持って当該印刷面内における任意の印刷位置を指示することにより当該指示に対応した情報の提供を命令するためのコマンダー装置であって、
当該印刷面にその印刷面自体を特定するための情報を含む形で印刷されているコード化パターンを撮影するための撮像部と、前記撮像部によって撮影されたコード化パターンを前記情報提供装置での取り扱いに適合したデータに変換する撮影情報変換部と、ユーザーによって指示された印刷位置を当該印刷面内における位置の基準として印刷された基準位置指標との相対において表される位置データとして検出する印刷位置検出部と、前記撮影情報変換部で得た当該コード化パターンに対応するデータおよび前記印刷位置検出部によって得た位置データを前記情報提供装置側に伝送する通信部とを備えて構成されていることを特徴とするコマンダー装置。
【００１７】
上記（３）のコマンダー装置では、例えば、新聞やレストランのメニューのような印刷媒体の所定の印刷面内に印刷された表示情報（例えば、ラジオ・テレビの番組表や食事のメニュー）の内容を該印刷面内における印刷位置と対応付けて識別した情報をユーザーに提供可能に構成された情報提供装置に対し、ユーザーが手に持って当該印刷面内における任意の印刷位置を指示することにより当該指示に対応した情報の提供を命令するように構成され、当該印刷面にその印刷面自体を特定するための情報を含む形で印刷されているコード化パターンを撮像部により撮影し、該撮影されたコード化パターンを撮影情報変換部により情報提供装置での取り扱いに適合したデータに変換し、一方、ユーザーによって指示された印刷位置を当該印刷面内における位置の基準として印刷された基準位置指標との相対において表される位置データとして印刷位置検出部で検出し、撮影情報変換部で得た当該コード化パターンに対応するデータおよび印刷位置検出部によって得た位置データの各データを通信部を通して情報提供装置側に伝送する。
【００１８】
（４）前記印刷位置検出部は、前記基準位置指標を兼ねる前記コード化パターンの位置との相対において表される位置データとしてユーザーによって指示された印刷位置を検出するように構成されていることを特徴とする（３）のコマンダー装置。
上記（４）のコマンダー装置では（３）のコマンダー装置において特に、当該印刷面にその印刷面自体を特定するための情報を含む形で印刷されているコード化パターンが、基準位置指標を兼ねるように構成されている場合に、印刷位置検出部は、基準位置指標を兼ねるコード化パターンの位置との相対において表される位置データとして、ユーザーによって指示された印刷位置を検出する。
【００１９】
（５）前記印刷位置検出部は、前記コード化パターンとは別途に設定された基準位置指標の位置との相対において表される位置データとしてユーザーによって指示された印刷位置を検出するように構成されていることを特徴とする（３）のコマンダー装置。
上記（５）のコマンダー装置では（３）のコマンダー装置において特に、印刷位置検出部は、当該印刷面にその印刷面自体を特定するための情報を含む形で印刷されているコード化パターンとは別途に設定された基準位置指標（特定の位置のマーカー）の位置との相対において表される位置データとしてユーザーによって指示された印刷位置を検出する。
【００２０】
（６）前記印刷位置検出部は、モーションセンサーを備え、ユーザーが前記基準位置指標の位置である第一の位置および所望の印刷位置である第二の位置を夫々指示したときに該第一の位置と第二の位置との間の移動量を前記モーションセンサーによって検出し、この検出量に基づいてユーザーによって指示された印刷位置を検出するように構成されていることを特徴とする（３）のコマンダー装置。
【００２１】
上記（６）のコマンダー装置では（３）のコマンダー装置において特に、印刷位置検出部は、例えば、所謂ジャイロを含んで構成されるモーションセンサーを備え、ユーザーが基準位置指標の位置である第一の位置および所望の印刷位置である第二の位置を夫々指示したときに該第一の位置と第二の位置との間の移動量をこのモーションセンサーによって検出し、この検出量に基づいてユーザーによって指示された印刷位置を検出する。
【００２２】
（７）前記印刷位置検出部は、モーションセンサーを備え、ユーザーが基準位置指標の位置である第一の位置および所望の印刷位置である第二の位置を夫々指示したときに該第二の位置の第一の位置に対する相対位置を前記モーションセンサーによって検出される該第一の位置から第二の位置までの移動軌跡の形に依存しない座標位置として検出し、この座標位置をユーザーによって指示された印刷位置として検出するように構成されていることを特徴とする（３）のコマンダー装置。
【００２３】
上記（７）のコマンダー装置では（３）のコマンダー装置において特に、印刷位置検出部は、例えば、所謂ジャイロを含んで構成されるモーションセンサーを備え、ユーザーが基準位置指標の位置である第一の位置および所望の印刷位置である第二の位置を夫々指示したときに該第二の位置の第一の位置に対する相対位置を前記モーションセンサーによって検出される該第一の位置から第二の位置までの移動軌跡の形に依存しない座標位置として検出し、この座標位置をユーザーによって指示された印刷位置として検出する。
【００２４】
（８）前記印刷位置検出部は、超音波発信器とこの超音波発信器を含む本コマンダー装置の外殻部とは離隔した所定位置に複数既知の間隔で設置された超音波受信器との組合わせにより構成される位置センサーを備え、ユーザーが前記基準位置指標の位置および所望の印刷位置を夫々指示したときに該夫々指示した各位置を前記位置センサーによって検出し、この検出量に基づいてユーザーによって指示された印刷位置を検出するように構成されていることを特徴とする（３）のコマンダー装置。
【００２５】
上記（８）のコマンダー装置では（３）のコマンダー装置において特に、印刷位置検出部は、超音波発信器とこの超音波発信器を含む本コマンダー装置の外殻部とは離隔した所定位置に複数既知の間隔で設置された超音波受信器との組合わせにより構成される、例えば、所謂三角測量（三角測距）の原理に基づいて位置を検出するような位置センサーを備え、ユーザーが基準位置指標の位置および所望の印刷位置を夫々指示したときに該夫々指示した各位置をこの位置センサーによって検出し、この検出量に基づいてユーザーによって指示された印刷位置を検出する。
【００２６】
（９）印刷媒体の所定の印刷面内に印刷された表示情報の内容を該印刷面内における印刷位置との対応関係によって識別し該識別した情報をユーザーに提供可能に構成された情報提供装置と、ユーザーが手に持って当該印刷面内における任意の印刷位置を指示するに適合する外形を有し前記情報提供装置に当該指示に対応した情報の提供を命令するためのコマンダー装置と、を用いる情報提供方法であって、
前記情報提供装置側では、前記コマンダー装置から供給される当該印刷面自体を特定するデータおよび当該印刷面内におけるユーザーが指示した印刷位置を特定するためのデータを受信し、該受信されたデータによって特定される当該印刷面での印刷位置に対応する表示情報の内容を識別し、該識別された情報をユーザーに提供するようにし、
前記コマンダー装置側では、当該印刷面にその印刷面自体を特定するための情報を含む形で印刷されているコード化パターンを撮影し、該撮影されたコード化パターンを前記情報提供装置側での取り扱いに適合したデータに変換し、ユーザーによって指示された印刷位置を当該印刷面内における位置の基準として印刷された基準位置指標との相対において表される位置データとして検出し、当該コード化パターンに対応するデータおよび当該位置データを前記情報提供装置側に伝送することを特徴とする情報提供方法。
【００２７】
上記（９）の情報提供方法では、例えば、新聞やレストランのメニューのような印刷媒体の所定の印刷面内に印刷された表示情報（例えば、ラジオ・テレビの番組表や食事のメニュー）の内容を該印刷面内における印刷位置との対応関係によって識別し該識別した情報をユーザーに提供可能に構成された情報提供装置と、ユーザーが手に持って当該印刷面内における任意の印刷位置を指示するに適合する外形を有し前記情報提供装置に当該指示に対応した情報の提供を命令するためのコマンダー装置と、を用いる。
【００２８】
この情報提供装置側では、コマンダー装置から供給される当該印刷面自体を特定するデータおよび当該印刷面内におけるユーザーが指示した印刷位置を特定するためのデータの双方のデータを受信し、該受信された双方のデータによって特定される当該印刷面での印刷位置に対応する表示情報の内容を識別し、該識別された情報をユーザーに提供する。
一方、コマンダー装置側では、当該印刷面にその印刷面自体を特定するための情報を含む形で印刷されているコード化パターンを撮影し、該撮影されたコード化パターンを前記情報提供装置側での取り扱いに適合したデータに変換し、ユーザーによって指示された印刷位置を、当該印刷面内における位置の基準として印刷された基準位置指標との相対において表される位置データとして検出し、当該コード化パターンに対応するデータおよび当該位置データの双方のデータを情報提供装置側に伝送する。
【発明を実施するための最良の形態】
【００２９】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としての情報提供システム、および、情報提供方法を表す概念図である。
【００３０】
図１の情報提供システム１００では、シート状の印刷媒体１１０の所定の印刷面１１１内に印刷された表示情報１１２の内容（コンテンツ）を印刷面１１１内における印刷位置との対応関係によって識別し、該識別した情報をユーザーに映像や音声によって提供可能に構成された情報提供装置２００が設けられている。
本例における情報提供装置２００は、上記識別した情報を、デジタルテレビジョン受像機（以下、ＤＴＶと略記）３００を通してユーザーに映像や音声によって提供するようにセットされＤＴＶ３００の台座部３１０に設置されている。
【００３１】
一方、ユーザーが手に持って印刷面１１１内における任意の印刷位置を指示するに適合するペン型の外形（外殻）を有し情報提供装置２００に当該指示に対応した情報の提供を命令するためのコマンダー装置４００が備えられている。
後述するように、情報提供装置２００およびコマンダー装置４００はそれぞれが有する通信部によって、例えば、Ｂｌｕｅｔｏｏｔｈ（登録商標）のような短距離無線通信（５００）によって結ばれており、その方式は、例えば、上掲の特許文献１に開示のものと同様である。
【００３２】
印刷媒体１１０の印刷面１１１内上段右の位置に、一箇所のみ、コード化パターンであるＱＲコード（登録商標：一種の２次元バーコード）１２０が印刷されており、このＱＲコード１２０が本印刷媒体１１０（その印刷面１１１）を特定する情報を担持しており、周知の通り、ＱＲコード（登録商標）が担持している情報は携帯電話機に付帯するカメラによって容易に判読され得る。
【００３３】
この印刷媒体１１０における印刷面１１１には、日本の名山の画像１１３，１１３とそれらに対応する解説記事１１４，１１４が印刷されている。
ユーザーがコマンダー装置４００の撮像部（後述）をコード化パターン１２０の位置に接触ないし近接させて暫く静止させると（図１における破線図示の位置）、コード化パターン１２０に焦点が合ったタイミングで撮影が行われる。
【００３４】
この撮影により、携帯電話機に付帯するカメラによるＱＲコード（登録商標）の判読におけると同様に、それが担持した情報が判読され、この印刷媒体１１０の印刷面１１１自体が何れのものであるかが特定される。この場合は、例えば「四季の名山１００選」の特定のページ（それに対応するコード）であるといったようなことが判読される。
この判読結果は直ちに短距離無線通信（５００）によって情報提供装置２００に送信される。尚、この実施の形態では、コード化パターン１２０はそれが印された印刷媒体１１０の如何を特定すると共に、印刷媒体１１０の印刷面１１１における位置の基準として印刷された基準位置指標でもある。
【００３５】
ユーザーが上述のようにしてコマンダー装置４００を一旦コード化パターン１２０の位置に接触ないし近接させるとコード化パターン１２０の担持している情報が判読されて情報提供装置２００に送信されるが、これと共に、コード化パターン１２０の位置が印刷面１１１における位置の基準としてコマンダー装置４００内で認識される。この認識に対応する情報も短距離無線通信（５００）によって情報提供装置２００に送信される。
【００３６】
次いで、ユーザーがコマンダー装置４００を印刷面１１１内で移動させ、或る画像１１３の位置（コマンダー装置４００が実線で図示された位置）に接触ないし近接させ、所定の確定操作（後述）を行うと、コマンダー装置４００はコード化パターン１２０を位置の基準とする相対位置として上述の画像１１３の位置を認識する。
画像１１３の位置に対する認識の情報も短距離無線通信（５００）によって情報提供装置２００に送信される。
【００３７】
情報提供装置２００側では、印刷媒体１１０の印刷面１１１における位置に対応する情報（コンテンツ）を検索してユーザーに提供するように構成されている。即ち、コマンダー装置４００側から、現時時点でマンダー装置４００が選択している位置（コード化パターン１２０との相対位置）を表す情報が受信されると、自装置が、例えば、ハードディスクに保有する情報、或いは、ネットワークを通して取得される情報（コンテンツ）を検索し、ＤＴＶ３００を通して映像および／または音声でユーザーに提供する。
【００３８】
図１の例では、例えば、富士山の画像１１３に対応する映像がＤＴＶ３００の表示画面に表示され、同時に、この画像の撮影に関する情報や、富士山に関する種々の観点からの解説が提供され、更には、情景やナレーションに馴染む曲目が奏でられたりする。解説については、既に印刷面１１１に文字として印刷されている解説記事１１４が朗読されるといった形態のものであり得る。
【００３９】
図２は、情報提供装置２００の構成を表すブロック図である。コマンダー装置４００から供給される当該印刷面自体を特定するデータおよび当該印刷面１１１内におけるユーザーが指示した印刷位置を特定するためのデータを受信する通信部２１０と、通信部２１０を通して受信されたデータによって特定される印刷面１１１での印刷位置に対応する表示情報の内容を識別するための情報識別部２２０と、情報識別部２２０によって識別された情報をユーザーに提供するための情報提供部２３０とを備えている。
【００４０】
情報提供部２３０は、情報識別部２２０で識別された印刷面１１１での印刷位置に対応する表示情報の内容（コンテンツ）が、情報提供装置２００が自装置の内部に保有するＨＤＤ（ハードディスクドライブ）２４０に格納されているものであるときにはそこから、また、ネットワーク６００を通してアクセス可能な外部のデータベース６１０から取得されるものである場合にはそこから検索し取得して、ＤＴＶ３００を通して映像や音声によってユーザーにその情報を提供する。
【００４１】
尚、図１を参照して説明した印刷媒体１１０（印刷面１１１）を用いたシステムでは、その印刷面１１１自体の如何を特定する情報を担持するコード化パターン１２０が、印刷媒体１１０の印刷面１１１における位置の基準として印刷された基準位置指標を兼ねるものであったが、この図２の例では、基準位置指標としてコード化パターン１２０とは別途の基準位置マーク１３０が印刷され、この基準位置マーク１３０との相対位置（表現の一例としては、その位置を基点とする位置ベクトル１３１）によって印刷面１１１上での位置が表わされるように構成されている。
【００４２】
図３は、図１および図２中のコマンダー装置４００の内部構造を表す模式図である。ユーザーが手に持って印刷面内における任意の印刷位置を指示するに適合するペン型の外殻４０１の先端には位置を指し示し、所要に応じて通常のボールペンの如くに筆記に用いることも可能なペン先４０２が設けられている。このペン先４０２は、単に印刷面１１１上での位置を指し示す目的で仕様するときには先端部を覆うキャップを嵌めて用い得る。
【００４３】
外殻４０１内部のペン先４０２に続く部分には、超音波座標信号送信部４０３が設けられている。この超音波座標信号送信部４０３は、後に図面を参照して詳述する、自装置に対応する超音波受信部を備えた情報提供装置側が三角測量の原理に基づいて、位置を認識することができるようにするための超音波座標信号を発信する。
ペン先４０２近傍の軸線から外方に向かって傾斜するような光軸が設定された撮像部４１０が設けられている。この撮像部４１０自体は携帯電話機に付帯する公知のカメラと同様のレンズとＭＯＳ撮像素子を含んで構成されるものであってよい。
【００４４】
撮像部４１０の背後には、撮像部４１０で撮影されたコード化パターンを情報提供装置での取り扱いに適合したデータに変換する撮影情報変換部４２０が設けられている。この撮影情報変換部４２０は、撮像部４１０で撮影した必ずしもコード化パターンだけには限定されない画像情報を処理する画像処理部であり得る。
撮影情報変換部４２０の背後には、既述の超音波座標信号送信部４０３の駆動回路部である超音波駆動部４０４が設けられている。この超音波駆動部４０４の更に背後には、情報提供装置２００側の通信部２１０と例えば、Ｂｌｕｅｔｏｏｔｈ（登録商標）のような短距離無線通信（５００）を行って所用のデータの授受を行う通信部４３０が設けられている。
【００４５】
ユーザーによって指示された印刷位置を印刷面１１１内における位置の基準として印刷された基準位置指標１２０（１３０）との相対において表される位置データとして検出する印刷位置検出部４４０は、例えば、所謂ジャイロセンサーを含むモーションセンサーを主体に構成され、外殻４０１内部の通信部４３０の背後に実装されている。
印刷位置検出部４４０は、所謂ジャイロセンサーを含んで構成されるモーションセンサーを備えているため、ユーザーが基準位置指標１２０（１３０）の位置である第一の位置および所望の印刷位置である第二の位置を夫々指示したときに該第一の位置と第二の位置との間の移動量をこのモーションセンサーによって検出し、この検出量に基づいてユーザーによって指示された印刷位置を検出する。
【００４６】
上述の場合、要は、ユーザーによって指示された印刷位置である第二の位置が明確に認識されればよいため、該第二の位置の第一の位置に対する相対位置をモーションセンサーによって検出される該第一の位置から第二の位置までの移動軌跡の形に依存しない座標位置として検出し、この座標位置をユーザーによって指示された印刷位置として検出するように構成してもよい。
【００４７】
コマンダー装置４００全体の作動電源としては、例えば単４の二次電池が適用され、印刷位置検出部４４０の背後の電源部（電池ホルダー）４５０に収容される。
このペン型のコマンダー装置４００を洋服のポケットなどに装着するためのクリップ４０５が外殻４０１の後端部近傍を基部としてコマンダー装置４００の外周面に長手方向に適宜の長さに及んで延長される如くに設けられ、このクリップ４０５外表面に長手方向に沿ってＬＥＤ表示部４０６が形成されている。このＬＥＤ表示部４０６は線状に整列したＬＥＤによって構成され外殻４０１内部のＬＥＤ駆動部４０７によって駆動されて所定のタイミングに合わせて部分毎に発光する。
【００４８】
外殻４０１表面のユーザーが本ペン型のコマンダー装置４００を筆記する如き態様で把持したときに、把持した状態を維持しながら押圧操作容易な位置に、所望の位置を指し示して確定する操作を行うための確定操作子４０８が設けられている。
図３のペン型のコマンダー装置４００は、例えば、新聞やレストランのメニューのような印刷媒体１１０の所定の印刷面１１１内に印刷された表示情報（例えば、ラジオ・テレビの番組表や食事のメニュー、図１の例では「四季の名山１００選」）の内容を印刷面１１１内における印刷位置と対応付けて識別した情報をユーザーに提供可能に構成された情報提供装置２００に対し、ユーザーが手に持って印刷面１１１内における任意の印刷位置を指示することにより当該指示に対応した情報の提供を命令するように構成されていることは上述のとおりである。
【００４９】
このコマンダー装置４００では、印刷面１１１にその印刷面自体を特定するための情報を含む形で印刷されているコード化パターン１２０を撮像部４１０により撮影し、該撮影されたコード化パターン１２０を撮影情報変換部４２０により情報提供装置２００での取り扱いに適合したデータに変換する。
【００５０】
一方、ユーザーによって指示された印刷位置（ペン先４０２で指される）を印刷面１１１内における位置の基準として印刷された基準位置指標（一つの例ではコード化パターン１２０を兼用しており、他の例では別途の基準位置マーク１３０である）との相対において表される位置データ（図２の例では基準位置マーク１３０の位置を基点とする位置ベクトル１３１）として印刷位置検出部４４０で検出し、撮影情報変換部４２０で得た当該コード化パターンに対応するデータおよび印刷位置検出部によって得た位置データの各データを通信部４３０を通して情報提供装置２００側に伝送する。
【００５１】
図４は、本発明の他の実施の形態としての情報提供システム、および、情報提供方法を表す概念図である。
図４において、既述の図１、図２との対応部は同一の参照符号を附してある。図４の実施の形態では、図１および図２を参照して説明した例において、基準位置指標（一つの例ではコード化パターン１２０を兼用しており、他の例では別途の基準位置マーク１３０である）との相対において位置（そのデータ）を検出するようにしていたが、この実施の形態では、図３を参照して説明した超音波駆動部４０４によって駆動される超音波座標信号送信部４０３から発せられる超音波信号４０３Ｓを情報提供装置２００ａ側に一定の距離をおいて設けられた一対の超音波受信器２０１Ｌ，２０１Ｒによって受信し、所謂三角測量の原理で超音波の発信源である超音波座標信号送信部４０３の位置を特定する。
【００５２】
即ち、超音波座標信号送信部４０３を含むコマンダー装置４００の位置、従って、このコマンダー装置４００を用いて指し示された印刷媒体１１０の印刷面１１１内の位置が特定されることになる。
この場合、一対の超音波受信器２０１Ｌ，２０１Ｒの位置が印刷媒体１１０の印刷面１１１との相対において一定となるような固定的関係にあれば、他の別段の基準位置指標（コード化パターン１２０自体、或いは、位置基準マーク１３０等を俟つまでもなくコマンダー装置４００の位置が検出されることになる。
【００５３】
しかしながら、現在時点でコマンダー装置４００を用いて特定部位を指し示そうとしている印刷媒体１１０（その印刷面１１１）自体が如何なるものであるかの情報を担持しているコード化パターン１２０は必要であり、情報提供装置２００ａ側はこのようなコード化パターン１２０から判読される情報にも依拠して、結果的に、検索対象とされる所望の情報の如何を識別することになる。
【００５４】
この印刷媒体１１０（その印刷面１１１）自体が如何なるものであるかの情報の受け渡しに関するコマンダー装置４００と情報提供装置２００ａとの間の通信は、図１の実施の形態同様の方式を適用できる。
図４の情報提供システムでは、コマンダー装置４００の構成は図３を参照して説明したものと同様である。但し、図４のシステムにおいては、コマンダー装置４００中のモーションセンサー（印刷位置検出部）４４０での移動軌跡の検出や、検出された位置情報の通信部４３０を通しての伝送に替えて、超音波座標信号送信部４０３から発せられる超音波座標信号を情報提供装置２００ａ側の一対の超音波受信器２０１Ｌ，２０１Ｒで受信し、該受信された信号に依拠してコマンダー装置４００の位置を割り出す。
【００５５】
ここに適用されている印刷媒体１１０（印刷面１１１）には印刷位置に応じた各ひとまとまりのテキスト情報１１５と、これらに対応した記入枠１１６が印刷されており、例えば或る種の試験やトレーニングのためにテキスト情報１１５に応じてユーザーが記入枠１１６内に手書きの文字や記号を描くと、そのときのペン型のコマンダー装置４００の動きから情報提供装置２００ａ側は記入されたパターンの如何を判読して、例えば所定の教育プログラムに沿ったガイドメッセージを、適用されたディスプレイ装置７００上に表示する。
【００５６】
ディスプレイ装置７００の表示面７１１には、テキスト７１１とパターン表示７１２等々によって効果的なトレーニングプログラムが展開される。尚、ディスプレイ装置７００と情報提供装置２００ａとの連携については、図２を参照して説明した情報提供装置２００（その情報提供部２３０）とＤＴＶ３００との関係と同様であり、ＨＤＤ所蔵のデータ或いはネットワークを通してアクセスされる適宜のデータベースのデータがペン型のコマンダー装置４００の動きに応じて表示され得る。
【００５７】
以上の説明から容易に理解されるとおり、図１或いは図４を参照して説明した印刷媒体１１０（印刷面１１１）がレシートであって、このレシートにコード化パターンが印字されていて、コード化パターン認識後にレシートに印刷されている該当の購入物を上述同様のペン型のコマンダー装置４００で指示する（位置を認識させる）と、その購入物の関連データにアクセスが可能となるといったようにシステムを構築することもできる。
【００５８】
図５は、本発明の更に他の実施の形態を表す概念図である。既述の各実施の形態では、印刷媒体１１０（印刷面１１１）自体の如何を特定する情報を担持するコード化パターン１２０が、印刷媒体１１０の印刷面１１１における位置の基準として印刷された形態を採るものであったが、この実施の形態では、印刷媒体１１０としての冊子１１０Ｂの印刷面１１１たるページ１１１Ｂにコード化パターン１２０ａが附されるが、このコード化パターン１２０ａは必ずしも印刷等によって固定的には表記されず、付箋紙１２０Ｔに、該当ページに見合ったコード化パターン１２０ａが印刷されたものを貼着して用いる。
【００５９】
図５の実施の形態においても、図１の実施の形態におけると同様に、コード化パターン１２０ａはそれが附されたページ１１１Ｂ自体を特定する情報を担持すると共に、ページ１１１Ｂ内での基準位置指標として機能する。
従って、この付箋紙１２０Ｔのコード化パターン１２０ａを図１および図３を参照して既述のペン型のコマンダー装置４００（その撮像部４１０）で読取り（図５中、コマンダー装置４００を破線図示の位置に静止）、ページ１１１Ｂを識別すると共に、コード化パターン１２０ａの附された位置を基準位置として、ページ１１１Ｂ内での所望の記載部（文字列）を指し示して、それらの相対位置を検出し、ヘッドセット型の情報提供装置２００（その通信部２１０Ｈ）に短距離無線通信（５００）によって伝送すると、図２を参照して説明したように、例えば、指し示された該当箇所が音読され、或いはまた、その箇所の英単語の意味が教示される。
【００６０】
尚、上述のようなコード化パターン１２０ａを適宜に取得するには、例えば、パーソナルコンピュータと接続して用いられる、公知のラベルプリンター（２次元バーコードのプリント機能搭載）を利用する等して行うことが推奨される。
このように、必ずしも当初からページ内にコード化パターンが印刷されてはいないような印刷媒体についても、後日、所望に応じてコード化パターンを貼着し、関係記事に対応するデータベースとのリンクが張られるようにして、情報を引き出すようなことが可能になる。
【００６１】
例えば、古新聞と化してしまったような新聞についても、適宜の紙面に上述同様の付箋紙を貼着し、ペン型のコマンダー装置４００を用いて、関心を持った記事のその後の情報についてヘッドセットで音声によって情報を聴くといったようなことも可能になる。
また一方、略同様の準備手続きをとることによって、例えば「英語発音」練習の文庫本を使うと、付属ＣＤの内容を予めＭＰ３ファイルとして記録しておき、今日は或るページの単語２０個を覚えようとする時、今日のスタートは予め設定できるので、栞（英単語学習用）をＱＲコード（登録商標）で認識させる事により、該当ページのＭＰ３ファイルをアクセスする事が可能となり、ページ内の相対位置を検出（単語を選択）する事によってその当単語の発音や例題が音声として聞くことも可能である。
【００６２】
また、図５のように、冊子における特定のページに関連したコンテンツにアクセスするについては、既述のペン型のコマンダー装置４００に替えて、薄型の、栞状のコード化パターンリーダーを適用すれば、冊子の該当ページに挟んで携帯することができ、ユーザーにとって極めて便利である。
尚、「栞タイプ」のコード化パターンのリーダーが読取った情報を適切に変換してＤＴＶにリモコン信号を飛ばして選局するといったことも可能である。
【００６３】
文庫本が複数あり、挟まっている栞が異なる事によって、ＱＲコード（登録商標）から予め栞毎に設定された本とページが認識され、その後にページ内の「単語」等に関連したコンテンツへのアクセスを可能に構成できる。
一方コード化パターンの内容は昨今普及を見ている如く、指定のURLアドレスを記述してアクセスを可能としても良い。この場合、ＵＲＬアドレスは任意であるため、個人での使用では情報提供装置に引数を持ってアクセスが可能である。
【００６４】
例を挙げれば、//**.**.**.**/yoko/shiori1/という様に指定して情報提供装置の該当する機能にアクセスして//**.**.**.**/yoko/shiori1/X=10,Y=30という情報から何番目の単語かが判れば、その単語の関連情報を検索可能である。
上述のように栞のＱＲコード（登録商標）は一旦作成してしまえば、後は栞を認識してアクセスされた情報提供装置側で栞が何れのページに入っているかが設定されているので、そのページ内の単語情報を検索できる。
【００６５】
情報提供装置はＰＤＡでもＭＰ３プレーヤーでも可能で、ＵＲＬ記述でなく、栞のＱＲコード（登録商標）内容と記録装置内の該当ページデータが連携すれば、その方法は任意である。
更にまた、コード化パターンを後に任意に作成して、所望の印刷媒体に貼着することは、種々の可能性を開くことになる。
【００６６】
例えば、特定のショッピングモールや店舗の新聞の折込み広告にコード化パターンを貼着するだけで、それらへのアクセスとその広告内の相対位置から該当する販売品目へのアクセスが可能になる。
また、既存のレストランのメニューにコード化パターンを貼着すると、コマンダー装置４００で認識後にページ内の相対位置の入力から希望のメニューが選択でき、既存のオーダーシステムへのリンクが可能となる。
【００６７】
更にまた、新聞社のデータベースは記事のページと枠でのデータベースとなっているので、「今日の新聞の社会ページ」というコード化パターンを貼着するとページ内の相対位置からその記事のデータベース（新聞社のページ）にアクセスも可能となる。
地図帳にコード化パターンを貼着した場合は、付加したコード化パターンのテープから
「＊月＊日に行った旅行のＡ地点付近地図」迄をこのコード化パターンに連携させて、基準位置との相対位置から、地図内のＢレストランでの食事の写真、Ｃ地点での記録動画コンテンツ等へのアクセスが自動とします。
【００６８】
又、「A地点付近地図」というコード化パターンを用いて、地図内の複数の地点に関連するインターネット内や個人の記録サーバー内のコンテンツへのアクセスを基準位置との相対位置から可能である。
更に、列車内で新聞を読みながらニュース記事をクリック（コマンダー装置４００でタッチ）すると、その記事の最新ニュースが無線ＬＡＮ等の適切なルートから音声データとして提供されるようなシステムを構築することも可能である。
【００６９】
図６は、本発明に関連した技術を表す概念図である。図６の技術は既述の各実施の形態のように、印刷媒体１１０の印刷面１１１内の位置を特定して、該位置に対応する情報を検索するといったものでなく、電子ペーパーを適用したディスプレイ装置である。
電子ペーパー１５０は、非使用時においては、収納部１５１に巻き込まれており、使用時にその延長端縁に設けられた軸棒１５２を先端にして引き出され、適宜の大きさに展開される。内部に電子ペーパー１５０を巻き取って収納する収納部１５１は、電子ペーパーの横幅よりも左右に突出した構造部を備え、これらの部分に図４を参照して説明したものと同様の一対の超音波受信器２０１Ｌ，２０１Ｒが設けられている。
【００７０】
ユーザーが図３を参照して説明した本発明の実施の形態としてのペン型のコマンダー装置４００を用いて、展開された電子ペーパー１５０の表面をなぞるようにして文字１５７を描くと、そのときのペン型のコマンダー装置４００の移動軌跡が、ペン型のコマンダー装置４００の超音波座標信号送信部４０３から発せられる超音波信号４０３Ｓを一対の超音波受信器２０１Ｌ，２０１Ｒによって逐一受信することによってトレースされる。
【００７１】
このときのトレースにおける動きは、所謂三角測量の原理で超音波の発信源である超音波座標信号送信部４０３の位置を特定することによって十分な精度で捕捉され、これに対応した信号が通信部を通してこの電子ペーパー装置に伝達されて、通常の筆記具によって紙面に描画する場合と近似した表示が行われる。
【００７２】
図７は、図３を参照して説明したペン型のコマンダー装置４００の機能について説明するための図である。
既述のように、このペン型のコマンダー装置４００を洋服のポケットなどに装着するためのクリップ４０５が外殻４０１の後端部近傍を基部としてコマンダー装置４００の外周面に長手方向に適宜の長さに及んで延長される如くに設けられ、このクリップ４０５外表面に長手方向に沿ってＬＥＤ表示部４０６が形成されている。
【００７３】
このＬＥＤ表示部４０６は線状に整列したＬＥＤによって構成され外殻４０１内部のＬＥＤ駆動部４０７によって駆動されて所定のタイミングに合わせて部分毎に発光する。このときのＬＥＤ表示部４０６における表示素子アレイの個々の素子の発光のタイミングをＬＥＤ駆動部４０７によって適切に図ることによって、現実のＬＥＤ表示部４０６での発光は線分状のものであるところ、図示のように、コマンダー装置４００を左右に一定の移動軌跡を８０１描いて揺り動かすと、ヒトの目の残像によって一定の描画８０２（“Ａ”）が空中になされている如くに観察される。
【００７４】
このような方法による情報表示を、コマンダー装置４００によって検索を命じた情報の表示に応用するようにシステムを構築してもよい。
このペン型のコマンダー装置４００の短距離無線通信（５００）を行って所用のデータの授受を行う通信部４３０によって、この通信に適合する通信機能を搭載したウォッチ９００に空中に描いたメッセージのデータを転送して保存し、或いは更に、ウォッチ９００を経由してコンピュータに供給し、そのデータを保存することも可能である。
【図面の簡単な説明】
【００７５】
【図１】本発明の実施の形態としての情報提供システム、および、情報提供方法を表す概念図である。
【図２】情報提供装置の構成を表すブロック図である。
【図３】図１および図２中のコマンダー装置の内部構造を表す模式図である。
【図４】本発明の他の実施の形態としての情報提供システム、および、情報提供方法を表す概念図である。
【図５】本発明の更に他の実施の形態を表す概念図である。
【図６】本発明に関連した技術を表す概念図である。
【図７】図３を参照して説明したペン型のコマンダー装置の機能について説明するための図である。
【符号の説明】
【００７６】
１００…情報提供システム  １１０…印刷媒体  １１２…表示情報  １２０…コード化パターン  １３０…基準位置指標  ２００…情報提供装置  ２０１Ｌ，２０１Ｒ…超音波受信器  ２２０…情報識別部  ２３０…情報提供部  ４００…コマンダー装置  ４１０…撮像部  ４２０…撮影情報変換部  ４３０…通信部  ４４０…印刷位置検出部
【図１】
2007226537.tif 000003
【図２】
2007226537.tif 000004
【図３】
2007226537.tif 000005
【図４】
2007226537.tif 000006
【図５】
2007226537.tif 000007
【図６】
2007226537.tif 000008
【図７】
2007226537.tif 000009